(57)【要約】【課題】膝頭上下部を圧迫して膝関節の疼痛を緩和する膝サポータで、高い圧迫力が容易に得られ、圧迫力の調節が簡便に行える膝サポータを提供する。【解決手段】本発明の膝サポータは、左右両側に形成された上突片および下突片を備えた巻付け布片と、硬質材料から成り巻付け布片の右左のいずれか一方の上下突片にそれぞれ一端が取着された上下圧迫片と、巻付け布片に一部が接合されて且つ左右に延びた帯状の伸縮性布片から成る締付け帯体と、から構成され、巻付け布片の他方の上突片と下突片とには、各圧迫片と着脱自在に係合する係合手段を設け、締付け帯体の少なくとも一方の端部には、巻付け布片又は圧迫片と着脱自在に係合する係合手段を設けている。サポータの装着により膝頭上下部に配置した各圧迫片は、巻付け布片により適度な圧迫力で固定され、締付け帯体により圧迫力を増強されるので、膝部が受ける圧迫力が容易に高められる。【選択図】図６
2004255047.tif 000002
【特許請求の範囲】
【請求項１】
軟質の伸縮性部材から成り左右両側を上下二股状に分岐して形成された上突片および下突片を備えた巻付け布片と、硬質材料から成り巻付け布片の右左のいずれか一方の上突片と下突片とにそれぞれ一端が取着された上下の圧迫片と、巻付け布片に一部が接合されて且つ左右に延びた帯状の伸縮性布片から成る締付け帯体と、から構成され、
巻付け布辺の他方の上突片と下突片とには各圧迫片に着脱自在に係合する係合手段を設け、締付け帯体の少なくとも一方の端部には巻付け布片及び圧迫片と着脱自在に係合する係合手段を設けた膝サポータ。
【請求項２】
締付け帯体が上下一対あり、上側の締付け帯体が巻付け布片の上辺に沿って配置されて横方向へ伸張可能に固定され、下側の締付け帯体が巻付け布片の下辺に沿って配置されて横方向へ伸張可能に固定されている請求項１に記載の膝サポータ。
【請求項３】
圧迫片が、表面側に突出して湾曲した横長形状である請求項１又は２に記載の膝サポータ。
【請求項４】
圧迫片が、その裏面に固定された弾性部材を含む請求項１ないし３のいずれかに記載の膝サポータ。
【請求項５】
上記他方の上突片と下突片とに設けた係合手段が、圧迫片表面に取着したパイル布地に係合可能なフック面ファスナである請求項１ないし４のいずれかに記載の膝サポータ。
【請求項６】
締付け帯体に設けた係合手段が、巻付け布片の表面のパイル地又は圧迫片表面に取着したパイル地と係合可能なフック面ファスナである請求項１ないし５のいずれかに記載の膝サポータ。
【発明の詳細な説明】
【０００１】
【発明の属する技術分野】
本発明は、膝頭上部および下部を圧迫する膝サポータに関し、特に、膝頭上部および下部を個々に圧迫調整できる膝サポータに関する。
【０００２】
【従来の技術】
従来、筒状に編成された膝サポータのずれを防止するための、ずれ落ち防止用のゴムベルトが知られている（例えば、特許文献１および２参照。）。これらのゴムベルトは、生ゴムから形成された１対の長片と、該一対の長片のほぼ中央部に固定され一対の長片を一体と成した接続部と、各長片の両端部に固定された面テープと、を備えている。その膝部への装着は、接続部を膝裏に配置して、一方の長片を膝部直上に、他方の長片を膝部直下に捲回して、各長片の両端部を面テープで係合してなされる。
【０００３】
【特許文献１】
登録実用新案第３０２３６８４号公報
【特許文献２】
登録実用新案第３０５６５２７号公報
【０００４】
【発明が解決しようとする課題】
上記のゴムベルトは、伸縮性筒状のサポータなしで直接に、又はこのサポータの代わりに薄手の生地を介して装着すれば、膝頭上下部を圧迫することができるので、膝関節の疼痛を緩和するために使用されることがあった。上記のゴムベルトには、膝頭およびその側部が完全に露出されて膝関節の動きを阻害しないという特徴があるので、特に自然な歩行を望む外出時や、膝関節の動きが多いスポーツ時などに、筒状のサポータ代わりとして好んで利用されていた。
【０００５】
しかし、上記のゴムベルトで高い疼痛緩和効果を得るには、装着時にゴムベルトを強く引っ張って十分に伸張した上で係合して、膝頭上下部を十分に圧迫する必要があった。しかし、力が弱い高齢者などには、装着時にゴムベルトを強く引っ張るのが困難で、十分な圧迫力が得られなかった。また、圧迫力を調節するには、一旦ゴムベルトの係合を外し、再度ゴムベルトを引っ張りながら係合し直す作業を必要とするので、圧迫力の調節が煩わしく、そのため、装着後に圧迫力の過小や過多により多少の痛みが発現してもそのまま使用することが予想され、結果として疼痛緩和効果の低下や膝部の損傷などを引き起こす惧れがあった。
【０００６】
また、膝サポータは、膝関節部を固定して歩行時の膝部のがたつきを押さえることにより、歩行姿勢の安定や運足をなめらかにする機能を有しており、スポーツや山登りや階段の昇り降り等の際に好んで利用されるが、従来のゴムバンドでは膝頭上下部のみを圧迫固定するので、膝頭全体を固定する筒状の膝サポータに比べて膝部のがたつきを押さえるのが不充分であった。
【０００７】
そこで、本発明は、膝頭上下部を圧迫して膝関節の疼痛を緩和する膝サポータで、高い圧迫力が容易に得られ、さらに圧迫力の調節が簡便に行える膝サポータを提供することを目的とする。また、本発明は、膝関節部を固定して膝部のがたつきを押さえる効果のある膝サポータを提供することを目的とする。
【０００８】
【課題を解決するための手段】
本発明の膝サポータは、軟質の伸縮性部材から成り左右両側を上下二股状に分岐して形成された上突片および下突片を備えた巻付け布片と、硬質材料から成り巻付け布片の右左のいずれか一方の上突片と下突片とにそれぞれ一端が取着された上下の圧迫片と、巻付け布片に一部が接合されて且つ左右に延びた帯状の伸縮性布片から成る締付け帯体と、から構成され、巻付け布辺の他方の上突片と下突片とには各圧迫片に着脱自在に係合する係合手段を設け、締付け帯体の少なくとも一方の端部には巻付け布片又は圧迫片に着脱自在に係合する係合手段を設けている。
【０００９】
本発明の膝サポータは、巻付け布片及び上下圧迫片により構成されたサポータ本体と締付け帯体とを備えており、その装着時には、膝頭上下部に配置した各圧迫片が、膝裏に巻き回された巻付け布片により、適度な圧迫力で固定され、さらに、締付け帯体が膝部円周方向に伸張した状態で巻付け布片の表面に係合されて圧迫片の圧迫力を増強している。これにより、各圧迫片が与える実際の圧迫力は、サポータ本体の圧迫力と、締付け帯体の圧迫力との合力になる。そこで、この膝サポータは、各圧迫力が小さくても、実質的な圧迫力を大きくすることができる。また、この膝サポータは、各圧迫力を大きくして実質的な圧迫力を強くすることにより、膝部のがたつきを抑制する効果が、膝頭上下部を圧迫するのみであるにも拘らず膝頭全体を固定する膝サポータと同等にすることができる。
【００１０】
本発明の膝サポータは、その装着において、一方の突片に取着された圧迫片を膝部の所定位置に当てて仮押えし、巻付け布片を膝裏に巻き回して他方の突片と圧迫片とを係合して圧迫片を膝部に固定し、その後、締付け帯体を伸張して巻付け布片又は圧迫片に係合される。締付け帯体の係合時にサポータが動かないので、圧迫片の仮押さえが不要になり、締付け帯体を伸張し係合するのが容易である。
また、圧迫片の圧迫力は、締付け帯体の伸張の程度を変えることで調節できるので、サポータ本体を膝部から外すことなく簡便に圧迫力を調節することが可能である。
【００１１】
【発明の実施の形態】
本発明の膝サポータは、膝裏に巻き回される巻付け布片と、巻付け布片により膝部に適度な圧迫力で固定される上下一対の圧迫片と、巻付け布片の表面に係合されて圧迫片の圧迫力を増強、調整する締付け帯体とから成る。
【００１２】
巻付け布片は、幅広横長の帯状体の両側に切欠き部を設けて、切欠き部の上下に横方向へ延びる上突片と下突片をと形成している。左右の上突片は、サポータ装着時に上圧迫片を膝周りに固定するのに用いられ、一方の上突片は上圧迫片の一端が固定され、他方の上突片は、巻付け布片を膝裏に巻き回した後に上圧迫片と着脱自在に係合するようにされている。左右の下突片も同様に、下圧迫片を膝周りに固定するのに用いられる。
切欠き部は、膝サポータ装着時に膝頭とその側部とを露出するように形成されているので膝関節の動きを阻害しない。
【００１３】
本発明の膝サポータは、好ましくは締付け帯体が上下一対あり、各締付け帯体が上下の圧迫片のそれぞれに対応して配置され、圧迫片ごとに独立して圧迫力の調節をすることができる。上側の上締付け帯体は、巻付け布片の上辺に沿って配置され横方向へ伸張可能に固定されて膝頭上部圧迫に用いられ、下側の下締付け布片は、巻付け布片の下辺に沿って配置され横方向へ伸張可能に固定されて膝頭下部圧迫用に用いられる。
【００１４】
締付け帯体は、その端部又は中心部など任意の部分を巻付け布片に接合されており、その接合方法には、接着や縫合などによる固着や、巻付け布片と移動可能に係合する係合固定を用いることができる。移動可能な係合固定としては、例えば、巻付け布片に複数のスロットを形成して挿通部とし、この挿通部に、締付け帯体の両端部が巻付け布片の表側に露出するように締付け帯体を挿通する構造が利用できる。
【００１５】
本発明の膝サポータは、装着により、膝頭上部を上圧迫片で、膝頭下部を下圧迫片で圧迫するが、圧迫片は、表面側に突出して湾曲されているのが好ましく、膝頭上下部の湾曲に合わせて装着できるので装着感がよい。また、膝部の疼痛緩和に適した圧迫部位部は膝円周方向に長いので、圧迫片の形状としては、その圧迫部位を適切に圧迫することのできる横長形状が好ましい。横長形状とは、長方形、長円形、楕円形、角部を切除した長辺形などを含む。圧迫片は、特に、一方の長辺が他方の長辺より長い台形状で、角部を切除して丸くされた横長形状にされるのが好ましい。
【００１６】
本発明の膝サポータでは、圧迫片の裏面に固定された弾性部材を含むのが好ましい。弾性部材は、圧迫片の圧迫力を拡散および緩和できるので、例えば膝上下部の骨や筋の隆起部分が圧迫片で圧迫される場合などには、弾性部材によって隆起部分に圧迫力が集中するのを緩和し、装着感を良好にすることができる。また、弾性部材は衝撃吸収能を備えているので、圧迫片が外部からの衝撃を受けた場合に、その衝撃が膝関節部に伝播するのを押さえて膝部を保護することができる。弾性部材は、接着剤等を用いて圧迫片に固定することができる。
【００１７】
上下突片に設けた圧迫片との係合手段が、圧迫片表面に取着したパイル布地に係合する面ファスナであるのが好ましい。また、締付け帯体に設けた係合手段が、巻付け布片の表面のパイル布地又は圧迫片表面に取着したパイル布地に係合する面ファスナであるのが好ましい。面ファスナは、着脱自在で係合力も比較的強いので、上下突片の係合に適用すると、サポータ本体の装着取外しが簡単、容易になる。また、面ファスナを巻付け布片の係合に適用すると、着脱が容易なので圧迫力の調節が簡便になる。
【００１８】
巻付け布片は、軟質でゴム弾性を有する布地から形成されるのがよく、特に、皮膚に接触する裏面には肌触りのよい生地を取着し、表面にはフック面テープと係合可能なパイル地を取着したラミネート生地から形成されるのが好ましい。
【００１９】
圧迫片は、硬質材料から、剛性があり且つ適度な可撓性を備える厚み形状に形成されるのが好ましく、薄肉のゴムなどの軟質材料に比べて変形しにくいので膝頭上下部を強く圧迫することができ、且つ圧迫片が脚部の曲面に合わせて撓むので圧迫片全体でほぼ均一に圧迫できる。圧迫片には、硬質プラスチック板、例えばポリプロピレン板等や、金属薄板、例えばステンレス鋼板やアルミ板などを用いることができる。
【００２０】
締付け帯体は、軟質ゴム弾性を有する材料から幅狭の帯状に形成される。締付け帯体には、ゴム繊維を織り込んだ布地が利用できる。また、締付け帯体は、巻付け布片の表面上に巻き回されて殆ど皮膚と接触しないので、生ゴムから成るバンドを用いることができる。
【００２１】
弾性部材は、厚肉の弾性材料から形成されるのがよい。弾性材料は、転倒して膝を地面に打っても衝撃が緩和できる程度の厚みと弾性強度を有するものが好ましく、織布の積層体や不織繊維層、ゴム、特に厚地軟質の板状ゴム、発泡性ゴムから成るものが利用できる。
【００２２】
【実施例】
本発明の膝サポータ１は、図１、図２の展開正面図と図３の展開背面図に示すように、巻付け布片３と上下圧迫片４１、４２と上下締付け帯体５、６とから成る。
【００２３】
巻付け布片３は、両側に切欠き部３０、３９を設けて、それぞれ左右に伸びた上突片３１、３５と下突片３２、３６が形成されている。上突片３１、３５は、下突片３２、３６よりも若干長くされており、上突片３１、３５は太腿側に巻き回すのに好都合であり、下突片３２、３６は、脛側に巻き回すのに適合している。上突片３１と下突片３２の裏面側には、フック面テープ３３、３４が縫合されている。
巻付け布片３は、厚さ２ｍｍのウレタンフォームに、表面にナイロン製のパイル地を、裏面に伸縮性の綿生地を取着したラミネート地から成り、その周縁部は、伸縮性ナイロン地でパイピングされている。
【００２４】
上下締付け帯体５、６は、ゴムを織り込んだナイロン地から成り、図１に示すように、巻付け布片３の上辺部３７と下辺部３８とに沿って配置され、締付け帯体５、６の中心部５９、６９が巻付け布片３に縫合されている。また締付け帯体５、６は、図２に示すように、端部の裏面側にフック面テープ５２、５４、６２、６４が縫合されて、上記巻付け布辺３表面のパイル地に係合できるようになっている。
【００２５】
圧迫片４１、４２は、厚さ２ｍｍのポリプロピレン板から角部を切除した台形状に形成されており、２つの長片のうち長い辺４７、４８が膝頭側に、短い辺４９、４０が太腿側および脛側に配置される。圧迫片４１、４２は、その中央部が表面４３、４４側に突出するように湾曲して成形されている。
圧迫片４１、４２の表面４３、４４には、ほぼ全面にナイロン製のパイル地７３、７４が接着固定されており、上下突片３１、３２のフック面テープ３３、３４が係合できる。
圧迫片４１、４２の裏面４５、４６には、厚さ６ｍｍのウレタンフォームから成る弾性部材７１、７２が接着固定されている。
【００２６】
上圧迫片４１および下圧迫片４２はそれぞれ上下突片３５、３６に接続されているが、圧迫片４１、４２には、側部にスロット５５、６５が形成されており、図３に示すように、巻付け布片３の上突片３５および下突片３６を、スロット５５、６５に挿入した後に巻付け布片３の裏面側に折り返して縫合部８１、８２で巻付け布片３に縫合固定することにより、圧迫片４１、４２を上下突片３５、３６に揺動可能に取着している。
【００２７】
本発明の膝サポータ１を装着した膝部側面では、図４に示すように、膝頭上下部に上下圧迫片４１、４２が各々配置され、上下圧迫片４１、４２と接続している巻付け布片３が膝裏に巻き回されており、巻付け布片３の上下突片３１、３２が面ファスナ３３、３４とパイル地７３、７４との係合によって圧迫片の表面４３、４４に係合固定されて、サポータ本体が膝部に圧迫固定されている。巻付け布片３の上には、上下一対の締付け帯体５、６が並列に巻き回されて、それらの端部５３、６３が上下突片３１、３３の表面に面ファスナ５４、６４によって係合されている。
【００２８】
巻付け布片３の切欠き部３０は、膝頭方向に向かって幅が広がっており、上下突片３１、３２が斜め上方向と斜め下方向とに分離して巻き回されている。本発明の膝サポータ１は、膝を屈折した時には、この切欠き部３０の幅が容易に広がるので、膝の屈伸を阻害しない。
【００２９】
本発明の膝サポータ１の装着に際して、装着前には、図２で示すように上下締付け帯体５、６のフック面テープ５２、５４、６２、６４の係合を外しておく。上圧迫片４１の圧迫固定は、まず、上圧迫片４１を膝頭上部に仮押さえし、上突片３１を伸張して膝裏から膝前方向に巻き回して、上突片３１のフック面ファスナ３３を上圧迫片表面４３のパイル地７３に係合して、上圧迫片４２を膝頭上部に適度な圧迫力で固定する。次に、上締付け帯体５の端部５１、５３を膝前方向に伸張して、その端部５１、５３に固定された面ファスナ５２、５４によって上突片５６、５２の表面に係合して、図５のように装着が完了する。
【００３０】
次に下突片３２と下圧迫片４２を装着するが、上突片３１と上圧迫４１の装着と同様に下圧迫片４２を膝頭下部に仮押さえし、下突片３２を伸張して膝裏から膝前方向に巻き回して、下突片３２のフック面ファスナ３４を下圧迫片４２の表面４４のパイル地７４に係合して、図６に示すように下圧迫片４２を膝頭下部に適度な圧迫力で固定する。次に、下締付け帯体６の端部６１、６３を膝前方向に伸張して、端部６１、６３に固定された面ファスナ６２、６４によって下突片３６、３２の表面に係合して、図７のように装着が完了する。
【００３１】
本実施例では、膝頭下部への膝サポータの装着方法を説明したが、膝頭上部への装着も同様に行う。また、本発明の膝サポータは、膝頭上下部のどちらからでも装着することができる。
【００３２】
本発明の膝サポータ１は、圧迫力の調節の際には、膝頭下部を例にとれば、図６のように下締付け帯体６の端部６１、６３を離脱した状態に戻して、再度下締付け帯体６の端部６１、６３の係合を行うことで簡便、容易に行える。また、下締付け帯体６は、端部６１、６３が下圧迫片４２の表面４４まで達するように端部６１、６３を十分に伸張して、フック面ファスナ６２、６４を下圧迫片４２の表面４４のパイル地７４と係合することにより、さらに強い圧迫力を得ることができる。
【００３３】
【発明の効果】
本発明の膝サポータは、巻付け布片と上下圧迫片とで構成されたサポータ本体と、締付け帯体と、を備えており、圧迫片が膝部を圧迫する力が、巻付け布片による圧迫力と締付け帯体による圧迫力との合力になるので、各々の圧迫力を多少小さくしても膝部を十分に圧迫することができる。それにより、本発明の膝サポータは、腕力が弱く装着時にサポータを十分に伸張するのが困難な人でも、サポータの締付けを確保して、高い疼痛緩和効果を得ることができる。また、各々の圧迫力を十分な強さに且つ適切に調整して圧迫力の合力を大きくすることもできるので、膝部のがたつきを効果的に押さえることができる。
【００３４】
また、本発明の膝サポータは、サポータ本体を膝部に固定して動かなくした上で締付け帯体の係合を行うので、締付け帯体の着脱が容易で圧迫力の調節を簡便に行えて、サポータ装着者は常に適切な圧迫力で疼痛を緩和したり、膝部を固定することができる。
【００３５】
本発明の膝サポータは、締付け帯体が上下一対あり、上下圧迫片のそれぞれに対応して配置されると、膝頭上下部を異なる力で圧迫し、さらにそれぞれの圧迫力を個別に調節できるので、膝部の痛みの具合に合わせて様々な圧迫態様が可能になり、個々の症状に合わせた最適な圧迫で疼痛緩和を行うことができる。
【００３６】
圧迫片は、横長形状にされておれば、膝部の圧迫位置を広く適切に圧迫することができ、また、表面に突出して湾曲されておれば、膝頭上下部の湾曲に合うので、装着時には圧迫片を十分に膝頭上下部に接触させることができ、圧迫片全体に亘って均等に締付け可能で、さらに、装着感も良好になる。
【００３７】
本発明の膝サポータは、圧迫片の裏面に弾性部材が固定されておれば、圧迫力が部分的に集中するのを緩和できるので、装着感が良好になり、長時間の装着により装着位置が部分的に痛むのを防ぐことができる。また、圧迫片が外部から衝撃を受けた場合には、弾性部材がその衝撃を吸収緩和して、膝関節部を保護することができる。
【００３８】
本発明の膝サポータは、上下突片と圧迫片との係合手段と、締付け帯体とパイル布地又は圧迫片との係合手段と、に面ファスナを用いると、着脱自在で係合力も比較的強いので、サポータの着脱、圧迫力の調節が容易にでき、サポータ装着時に係合が外れることがない。
【図面の簡単な説明】
【図１】本発明の実施例にかかる膝サポータの展開正面図である。
【図２】本発明の実施例にかかる膝サポータの展開正面図である。
【図３】本発明の実施例にかかる膝サポータの展開背面図である。
【図４】本発明の実施例にかかる膝サポータを装着した側面図である。
【図５】本発明の実施例にかかる膝サポータを装着中の斜視図である。
【図６】本発明の実施例にかかる膝サポータを装着中の斜視図である。
【図７】本発明の実施例にかかる膝サポータを装着した斜視図である。
【符号の説明】
１    膝サポータ
３    巻付け布片
３３、３４    フック面ファスナ
３１、３５    上突片
３２、３６    下突片
３０、３９    切欠き部
４１、４２    圧迫片
５５、６５    圧迫片のスロット
５、６    締付け帯体
５２、５４    フック面ファスナ、
６２、６４    フック面ファスナ
７１、７２    弾性部材
７３、７４    パイル地
【図１】
2004255047.tif 000003
【図２】
2004255047.tif 000004
【図３】
2004255047.tif 000005
【図４】
2004255047.tif 000006
【図５】
2004255047.tif 000007
【図６】
2004255047.tif 000008
【図７】
2004255047.tif 000009